(57)【特許請求の範囲】
【請求項１】
連続した順序で別々のあらかじめ濡れたワイプの信頼性のある単独の小出しのためのポップ・アップ式小出しシステムであって、
（ａ）内部および連続した順序であらかじめ濡れた濡れワイプを引き出すための開孔を有する容器、
（ｂ）複数のあらかじめ濡れたワイプであって、積み重ねられ、折りたたまれて差し込まれ、そして容器の内部に差し込まれているワイプを特徴とし、
あらかじめ濡れたワイプがローションで濡れており、ローションがホスフェート−第４級アミン化合物である界面活性剤および非セルロース性有機水溶性ポリマーとアルコキシル化アルコールからなる群より選択される有効量の第２の成分を含む水溶液である、ポップ・アップ式小出しシステム。
【請求項２】
ホスフェート−第４級アミン化合物が、ココホスファチジルＰＧ−ジモニウムクロリド、コカミドプロピルホスファチジルＰＧ−ジモニウムクロリド、およびステアラミドプロピルホスファチジルＰＧ−ジモニウムクロリドからなる群より選択される、請求項１に記載のシステム。
【請求項３】
ローションが、３重量パーセント未満のホスフェート−第４級アミン化合物を含む、請求項１または２に記載のシステム。
【請求項４】
非セルロース性有機水溶性ポリマーが合成ポリマーからなる群より選択される、請求項１、２または３に記載のシステム。
【請求項５】
基材が乾燥基材重量のグラム当たり少なくとも１．０グラムのローションで濡れている、請求項１、２、３または４に記載のシステム。
【請求項６】
あらかじめ濡れたワイプが不織基材を含む、請求項１ないし５のいずれか１項に記載のシステム。
【請求項７】
開孔が実質的にＳ字型である、請求項１ないし６のいずれか１項に記載のシステム。
【請求項８】
折りたたみパターンが実質的に折りこまれたＺ字折りである、請求項１ないし７のいずれか１項に記載のシステム。
【発明の詳細な説明】
【０００１】
発明の分野
本発明は、使い捨てワイプ製品に関し、特に、ポップ・アップ式の小出しにとって適切なあらかじめ濡れたワイプに関する。
【０００２】
発明の背景
あらかじめ濡れたクレンジングワイプは周知であり、濡れワイプ、タオレットなどと称される。あらかじめ濡れたワイプは、ローションであらかじめ濡れた不織ウエブのような基材を含む。ローションは水性ローションでありえ、典型的には、１種類以上の表面活性物質（界面活性剤）を含む。ローションはまた、防腐剤および香料成分も含み得る。
【０００３】
あらかじめ濡れたワイプは屋内または屋外で用途を見出し、特に、子供および幼児のクレンジングについて用途を見出す。例えば、ワイプは、しばしば、おむつの交換の間の幼児の皮膚の清浄化のために用いられる。同様に、あらかじめ濡れたワイプは、典型的には失禁製品の使用と結びついて成人の間でも用途を見出す。あらかじめ濡れたワイプの他の用途には、石鹸、布および水道水が特定の仕事について入手不可能であるか、不適切であるか、または不便であるかもしれない一般的な清浄化の仕事が含まれる。ほとんどすべての例において、あらかじめ濡れたワイプは使い捨てワイプの折りたたまれたスタックとされたシートとして提供され、それぞれのワイプは、１回の使用が意味される。したがって、あらかじめ濡れたワイプは、しばしば、使い捨て濡れワイプと称される。
【０００４】
使用者にあらかじめ濡れたワイプのスタックとされたシートを提供するための２つの基本的なタイプの容器が存在する。１つの容器タイプにおいては、しばしば「リーチ・イン（ｒｅａｃｈ  ｉｎ）」容器と称され、あらかじめ濡れたワイプは、別々のシートの折りたたまれたスタックとされた構成で存在する。この形態は、１回に１枚のタオルが使用者に対して露出することが可能であり、使用者は、容器から１番上のワイプに「手が届き」、それを取り出す。残りのワイプは、そのスタックとされ、折りたたまれた形態にとどまる。リーチ・イン容器はしばしば、タブ様の形態（硬質容器）または柔軟で一般的に長方形のパッケージ形状を有し、通常、早期の完全乾燥から残りのワイプを守るための最閉鎖可能なふたまたはカバーを有する。
【０００５】
「リーチ・イン」容器についての１つの欠点は、他方の頂部上に単に折りたたまれてスタックとされているワイプが、取り出しのためにつかむための端部または他の部分を使用者に便利に付与するための手段を提供しないということである。使用者は、最も上のワイプの前端縁を見つけてつかまねばならず、そのことはしばしばすることが困難である。したがって、消費者は、一番上のワイプの自由端を見つけて、ワイプの残りのスタックからワイプを遊離させて取り出すように試みなければならない。このことは、しばしば、時間を消費し、不満を起こす手順であり、そのうち作業から気を散らせ得る。もう１つの欠点は、リーチ・イン小出し配列は、連続したシートの単純で単独の小出しを提供しないことである。例えば、１枚のシートが取り出されるとき、次のシートは折りたたまれてスタックとされた形態にとどまり、使用者が次のシートを取り出すためにタブまたは容器に手を伸ばすことを必要とする。このことは、ワイプのスタックがより小さくなるとき不便となり得るものであり、それにより使用者がタブまたは容器にさらに手を伸ばすことを必要とする。
【０００６】
第２の容器タイプは一般的に「ポップ・アップ」ディスペンサーと称され、そこでは、パッケージから取り出されるワイプの後端縁がまず開孔または開口を通って次のワイプの前端縁を引き出す。第１のワイプが容器を出て行くとき、次のワイプの前端縁から引き離され、開孔の端部により、容易に取り出し可能な位置に保持された次のワイプの前端縁を残していく。１つのポップ・アップ構成において、別々の、折りたたまれたワイプは、スタックとされた形態に差し込まれる。ワイプは、それが互いに付着する重なる端部を有するように、差し込まれる（折り込まれる）。重なる領域の付着力は、それぞれの重なる領域の分離が起こる前に容器の開口を通して１枚のワイプが次のワイプの前端縁を引くことを可能とするのに必要な力を与える。
【０００７】
ポップ・アップ式の小出しは、用いられるそれぞれのワイプについて、適切に機能するとき、次のワイプの前端縁が容易な把握を提示するために消費者にとって好ましい。次のワイプの前端縁は、そのワイプの前端縁が乾ききらないようにカバーを閉じる前に容器の頂部内の適切な離間に便利に挟み込まれ得る。使用の場合に、使用者は単純にカバーを開け、ワイプの前端縁をつかみ、小出しの開口を通してワイプを引き、そのことが今度は、開口を通して続く連続するワイプの前端縁を引く。
【０００８】
消費者は好むけれども、ポップ・アップ小出しには欠点が存在する。主要な欠点は、小出しの信頼性である、すなわち、次のワイプの前端縁の一部を取り出し可能に残したまま、１回引く場合に１枚のシートを信頼性を持って小出しする小出しシステムの能力である。ポップ・アップ小出しに関連するさまざまの問題は、折りたたみパターンの設計、容器の形態、開口のサイズと形態、ならびにワイプ全体の設計に影響を与える。ポップ・アップ小出しの信頼性に関連する問題には、連鎖、落ち戻り、持ち上がり、および長い端部（ｌｏｎｇ  ｅｄｇｅ）が含まれる。
【０００９】
連鎖は、１枚のシートが取り出されるとき製品の分離が起こらないとき起こり、したがって、多数のシートが製品の連続する「チェーン」として引き出される。たとえたった２枚のワイプの「チェーン」であっても、結果は、容器から引き出される望ましからぬワイプである。
【００１０】
次のシートが小出し開口に引き出される前にワイプのシートが早期に分離するとき落ち戻りが起こる。したがって、次のシートが容器の中に落ち戻り、使用者はつかむために有用な次のワイプの部分を持たない。
【００１１】
次のワイプを引き出す試みの際に、タブまたは容器全体が空気中に持ち上がるとき持ち上がりが起こる。そのとき使用者は、所望のワイプを取り出すために２つの手を用いなければならない。もし一方の手のみが使用可能であれば、使用者は、引っ張り、すばやく動かし、または容器から所望のワイプを遊離させるように試みなければならない。もちろん、このことは、そのときに幼児のおむつを交換する不快な作業にしばしばかかわる消費者に不必要な立腹を引き起こす。
【００１２】
長い端部は、次のワイプの前端縁のあまりに多くが前のワイプを取り出した後小出し開口を通して露出されるときに起こる。もし長い端部が露出されるならば、それは、小出し開口上のカバーを閉じる問題を引き起こし得る。というのは、指定された面積に押し込むあまりに多くのワイプが存在するからである。また、小出し開口から伸びる長い端部を有することは、ワイプの多くの部分が早期に乾ききる傾向をより大きなものとし、それにより消費者に対して濡れワイプとしての価値を小さくする。
【００１３】
ポップ・アップ小出しの信頼性、すなわち、上記欠点の最小化は、製品の湿分の負荷、小出しオリフィスのサイズおよび／または形態、製品の重なりの程度、製造の間の圧縮、および基材特性の複雑な相互作用により影響を受け得る。ポップ・アップ小出しを改善することについての努力は、容器、小出し開口、ワイプの端部の改良、および挟み込み形態に対する改良について主に焦点を当てられてきた。しかしながら、さまざまの設計パラメーターの複雑な相互作用により、あらかじめ濡れたワイプの信頼性のあるポップ・アップ小出しを提供する必要は存在するままである。
【００１４】
したがって、信頼性のある小出し特性を有するポップ・アップ容器における使用にとって適切なあらかじめ濡れたワイプを提供することが望ましいであろう。
【００１５】
加えて、信頼性のあるポップ・アップ小出し性を示し、また、消費者の受容にとって十分な濡れ性の知覚レベルをも示すあらかじめ濡れたワイプを提供することが望ましいであろう。
【００１６】
さらに、信頼性のあるポップ・アップ小出しにとって適切なあらかじめ濡れたワイプの折りたたまれた、スタックとされた、差し込まれたシートを提供することが望ましいであろう。
【００１７】
さらに、濡れワイプのスタックからの１枚のワイプの小出しと分離の容易さの改善をもたらし、位置の容易な確認とそれぞれの続くワイプの前端縁の容易な把握をもたらす濡れワイプのためのポップ・アップ小出しシステムを提供することが望ましいであろう。
【００１８】
明細書は、本発明を特定して指摘し、明確に特許請求する特許請求の範囲を含むけれども、本発明は、同様の参照番号が同様の要素を認定する添付の図面とともに以下の記載からよりよく理解されるであろうと思われる。
【００１９】
発明の概要
使い捨てワイプ製品における使用にとって適切なローションが開示される。ローションは、あらかじめ濡れた濡れワイプを濡らすために用いられえ、特に、ベビーワイプのような使い捨て濡れワイプのポップ・アップ小出しシステムにおける使用に適している。ローションは、適切な濡れの印象を維持しながらポップ・アップ小出しの向上した信頼性を提供する。ローションは、ホスフェート−第４級アミン化合物およびノニオン性界面活性剤からなる群より選択される界面活性剤および非セルロース性有機水溶性ポリマーおよびアルコキシル化アルコールからなる群より選択される有効量の第２成分を含む水溶液である。防腐剤および香料のような他の成分もまたローションに含まれ得る。
【００２０】
発明の詳細な説明
本発明のあらかじめ濡れたワイプは、ローションで濡れた基材を含む。基材は、濡れワイプのようなあらかじめ濡れたワイプとしての使用にとって適切な天然繊維、合成繊維、またはそれらの組み合わせで作られた製織または不織ウエブを含み得る。ローションは水溶液を含み、界面活性剤および／または共界面活性剤／発泡発生剤／乳化剤および／または非セルロース性水溶性有機ポリマーを含み得る。
【００２１】
本明細書で用いられる「水溶液」という用語は、少なくとも５０重量パーセントが水である溶液を称する。
【００２２】
本明細書で用いられる「あらかじめ濡れたワイプ」という用語は、消費者による使用の前に基材を液体組成物で濡らすことによるような濡れている基材を含むワイプを称する。特に「あらかじめ濡れたワイプ」とは、一般的に水分不透過性容器またはラップにおけるような包装の前に濡れている基材を有するワイプを称する。
【００２３】
「濡れワイプ」および「タオレット」ともまた称され得るそのようなあらかじめ濡れたワイプは、男児および女児の乳児ならびにすべての年齢の成人を清浄化するための使用にとって適切である。そのようなワイプにはまた、限定されないが、メーキャップ、スキンコンディショナー、軟膏および医薬の適用を含む身体への物質の適用のために用いられる製品も含まれる。そのようなワイプにはまた、ペットの清浄化または手入れのために用いられる製品、および家庭のキッチンおよび浴室の表面、めがね、身体訓練および体操設備、自動車の表面などのような表面および目的物の一般的な汚れ取りのために用いられる製品も含まれる。
【００２４】
本明細書で用いられる「重量パーセント」または「重量によるパーセント」という用語は、ローションの全重量のパーセンテージとしてのワイプのローションにおける成分の重量による量を称することが意味される。
【００２５】
本明細書で用いられる「水溶性」という用語は、成分が摂氏２５度で少なくとも約０．２５重量パーセントのレベルで水に溶解性であるかまたは（ミセル性溶液を提供するように）分散性であることを意味する。
【００２６】
本明細書で用いられる「界面活性剤」という用語は、好ましくは界面に向かって配向する物質で、ノニオン性界面活性剤、アニオン性界面活性剤、カチオン性界面活性剤、両性界面活性剤、双極性界面活性剤およびそれらの混合物を含む界面活性剤のクラスを称する。
【００２７】
本明細書で用いられる「乳化剤」または「可溶化剤」という用語は、ローション組成物中の１以上の他の成分がローションから相分離する傾向を減少させる成分を称する。
【００２８】
本明細書で用いられる「共界面活性剤」という用語は、界面活性剤または乳化剤／可溶化剤のいずれかとして機能し得る成分を意味する。
【００２９】
本明細書で用いられる「有機水溶性ポリマー」という用語は、モノマーと称されるより小さな分子の結合により形成される有機化合物を意味する。その用語は、一般的に、例えば、ポリペプチド、核酸、多糖、およびプラスチックのような共有結合により結合した多数のモノマーで作られている高分子かまたは例えばヘモグロビンもしくはＩｇＭ免疫グロブリンのような共有もしくは非共有結合により結合するいくつかのサブユニットで作られているたんぱく質かのいずれかを称するために用いられる。
【００３０】
本明細書で開示されるが、ポップ・アップ式小出しの信頼性は、あらかじめ濡れたワイプに適用されるローションにより有意に影響を受けることが見出されている。基材のタイプ、小出しの開口、スタックの形状、およびワイプの端部の改良のような他の要因も重要な役割を果たし得るし、果たすけれども、本発明のローションはポップ・アップ式小出しの信頼性を決定する上で重要な要因であることが見いだされている。所定の形態のあらかじめ濡れたワイプと容器の構成においてよりすぐれた信頼性を提供することに加えて、ローション成分は、消費者により適切に知覚される濡れを示すように調節され得る。
【００３１】
本発明のローションならびに本発明の好ましい基材、小出し開口、およびスタック構成は、その特徴と利点を例示する目的のために図面を参照して以下に開示される。本発明は、有利なローションの好ましい態様と例に関して以下に詳細に記載される。
【００３２】
図１は、本発明の１枚の折りたたまれたあらかじめ濡れたワイプ１の斜視図を提供する。ワイプ１は、Ｃ字形折りのようなさまざまの公知の折りたたみパターンのいずれでも折りたたまれ得るが、しかし、好ましくは、図１および３において示されるようにＺ字型折りである。Ｚ字折り形状は、ワイプの折りたたまれたスタックが図２において示されるように重なった部分で差し込まれることを可能とする。
【００３３】
図１において示されるように、それぞれの折りたたまれたワイプ１は、第１の前端縁２から第２の後端縁３に縦に伸びる。したがって、好ましい態様において、それぞれのワイプ１は、少なくとも２つの折り目を有し、それにより３つのパネルを提供する。本明細書で用いられる、パネルとは、２つの折り目または折り目と端部との間に伸びるワイプの部分である。
【００３４】
第１のパネルの折り目６は、一般的に、前端縁２に対して平行であり、一般的に、側縁４および５に対して垂直であり得る。第１のパネルの折り目６は、第１のパネルの折り目６と前端縁２との間に伸びる前端縁パネル９を提供するように前端縁２から縦に離間する。第２のパネルの折り目７は、一般的に、第１のパネルの折り目６に平行であり、それから縦に離間し、それにより第１のパネルの折り目６で前端縁パネル９に結合し、第１のパネルの折り目６と第２のパネルの折り目７との間に伸びる中央パネル８を提供する。後端縁パネル１０は第２のパネルの折り目７で中央パネル８に結合し、第２のパネルの折り目７と後端縁３との間に伸びる。
【００３５】
本発明の小出しシステムの好ましい態様によれば、ワイプは、対応する前端縁パネル、中央パネル、および後端縁パネル８、９、および１０を提供するように第１および第２のパネルの折り目６および７で折られる。したがって、ワイプは、差込の前に多数の形状に折られ得る。このことは、図３において示されるパネルのそれぞれの、それぞれの表面を参照して明らかに例証される。
【００３６】
図３のＡにおいて、それぞれのワイプは、第１の上方表面前端縁パネル３０、第２の下方表面前端縁パネル３１、第１の上方表面後端縁パネル３２、第２の下方表面後端縁パネル３３、第１の上方表面中央パネル３４および第２の下方表面中央パネル３５を有する。したがって、前端縁パネルと後端縁パネルは、そのパネルが中央パネルの上方に面する表面または中央パネルの下方に面する表面に載るように第１のパネルの折り目および第２のパネルの折り目のそれぞれにより提供され得る。
【００３７】
図１および３のＡにおいて示されるように、前端縁パネル９は中央パネル８の上方に面する表面の一部に隣接してそれに載り、後端縁パネルは中央パネル８の下方に面する表面の一部に隣接してその下にあり、それによりいわゆる「逆方向Ｚ字折り」ワイプを提供する。代わりに、ワイプは、Ｚ字折り形状を提供するように折られ得る。
【００３８】
さらに別の態様において、それぞれのワイプの前端縁パネルと後端縁パネルの両方は、それらがいわゆる「Ｃ字折り」形態に折られる中央パネルの上方表面の一部に隣接し、かつ上に載るように折られ得る。
【００３９】
さらに、本明細書で上記される前端縁パネル、中央パネルおよび後端縁パネルに加えて、それぞれのワイプは、またさらに付加的なパネルも有しうる。特に、前端縁パネルおよび／または後端縁パネルはまた、図３のｂにおいて例示される前端縁パネルリップ３６または後端縁パネルリップを提供するように付加的な折り目も備え得る。そのようなリップは、パネルのリップ折り目と末端との間に伸びるリップを提供するように折りたたまれた基材の前端縁または後端縁に隣接し、離間するパネルリップ折り目を前端縁パネルまたは後端縁パネルに付与することにより形成される。パネルリップ折り目は、前端縁が前端縁パネルの下にあるように前端縁パネルの下方表面上に折りたたまれ得る。この形態は、端部をつかむことを容易にする上で特に有益である。代わりに、前端縁パネルは、前端縁が前端縁パネルの上方表面上に載るように折りたたまれ得る。リップはまた、後端縁パネルの上方または下方表面上にも位置し得る。リップは、典型的には、４ｃｍないし０．１ｃｍ、好ましくは２ｃｍないし０．２５ｃｍ前端縁または後端縁から前端縁パネルリップ折り目または後端縁パネルリップ折り目に伸びる。
【００４０】
本発明によれば、基材材料およびそのパネルの寸法全体は、ワイプの意図される用途に依存し、それにしたがって選択され得る。好ましくは、前端縁パネル対中央パネル対後端縁パネルの長さの比は、１：２：１から１：５：１であり、最も好ましくは比は、１：３：１である。より好ましくは、ワイプの第１と第２のアセンブリのワイプのパネルの長さの比は、同一であり、最も好ましくは、前端縁および後端縁パネルはともに、ワイプの全長のほぼ４分の１である。ワイプがベビーワイプとして利用され得る１つの発明を限定しない例示において、それぞれの折りたたまれたワイプ１は、前端縁２から後端縁３に縦に測定して１０ｃｍから３０ｃｍの折りたたまれていない長さを有しうる。それぞれの折りたたまれたワイプ１について、第１のパネルの折り目６と第２のパネルの折り目７との間の離間は、２ｃｍから７ｃｍでありえ、一方、前端縁パネル９と後端縁パネル１０の長さは２ｃｍから７ｃｍでありうる。好ましい態様において、第１のパネルの折り目６と前端縁２との間の離間は、より好ましくは３ｃｍから６ｃｍであり、さらにより好ましくは、約３ｃｍないし５ｃｍである。第１のパネルの折り目６と第２のパネルの折り目との間の離間は、より好ましくは３ｃｍから１２ｃｍであり、さらにより好ましくは約１０ｃｍないし１２ｃｍである。第２のパネルの折り目７と後端縁との間の離間は、より好ましくは、３ｃｍから６ｃｍであり、さらにより好ましくは、約３ｃｍないし５ｃｍである。
【００４１】
本発明によれば、そして、図４のＡ、Ｂ、Ｃ、Ｄ、において例示されている態様を参照すれば、スタック形状の本質的な特徴は、折りたたまれたワイプの第１のアセンブリ４０のそれぞれが折りたたまれたワイプの第２のアセンブリ５０のそれぞれに差し込まれていることである。
【００４２】
例えば、ワイプの第２のアセンブリのワイプｘはＺ字型折りに折りたたまれ、ワイプの第１のアセンブリの逆方向Ｚ字型折りワイプｘの間に差し込まれる。同様に、ワイプの第１のアセンブリのワイプｙがワイプの第２のアセンブリのワイプｘの間に差し込まれ、ワイプの第１のアセンブリのワイプｙがワイプの第２のアセンブリのワイプｙに差し込まれ、それが続く。この方式で、第２のアセンブリワイプｘで始まって、ワイプの前記第２のアセンブリ５０のそれぞれの前記中央パネル５２ｘの少なくとも一部と前記前端縁パネル５１ｘの少なくとも一部は、ワイプの前記第１のアセンブリ４０のそれぞれの前記後端縁パネル４３ｘの少なくとも一部と前記中央パネル４２ｘの少なくとも一部との間でワイプの第１のアセンブリのワイプｘが差し込まれる。同様に、ワイプの前記第１のアセンブリ４０のそれぞれの前期中央パネル４２ｙの少なくとも一部と前記前端縁パネル４１ｙの少なくとも一部とは、ワイプの前記第２のアセンブリ５０のそれぞれの前記後端縁パネル５３ｘの少なくとも一部と前記中央パネル５２ｘの少なくとも一部との間に差し込まれる。
【００４３】
本発明によれば、スタック形状のもう１つの本質的な特徴は、第１および第２のアセンブリのワイプのそれぞれのパネルの相対的な長さに関する。したがって、それぞれのワイプ、例えば、ワイプの前記第１のアセンブリのワイプｘの前端縁パネルまたは後端縁パネルの長さは、対応する中央パネルの長さの５０％を超えないことが見出された。同様に、ワイプの前記第２のアセンブリのそれぞれのワイプの前端縁パネルまたは前記後端縁パネルの長さは、対応する中央パネルの５０％を超えない長さである。したがって、いずれのワイプの前端縁パネルの長さと後端縁パネルの長さの和が、ワイプの対応する中央パネルの長さを超えないならば、ワイプの第１のアセンブリおよび第２のアセンブリのそれぞれの前端縁パネルおよび後端縁パネルは、いずれの長さのものでもあり得る。しかしながら、好ましくは、それぞれのアセンブリにおけるすべてのワイプのパネルの長さ、より好ましくは、第１と第２のアセンブリの両方における対応するパネルは、実質的に同一の寸法である。
【００４４】
本明細書で上記のようにスタックとされた濡れワイプは、先行技術によりスタックとされたワイプより優れた小出し作用をもたらす。理論により拘束されることを望まないけれども、向上した小出し性は、ワイプの第１と第２のアセンブリの間の具体的な差し込まれた折りたたみ形状およびワイプのパネルの間の重なりの具体的面積の組み合わせに関係することが見出された。
【００４５】
本明細書で上記の差込形状の利用により、差し込まれたスタックから一番上のワイプ、例えば、第１のアセンブリのワイプｘの取り出しは、スタックから第２のアセンブリの隣接するワイプｘの前端縁パネルおよび中央パネルの不安定（ａｇｉｔａｔｉｏｎ）を引き起こし得る。それによりこのことは消費者にとって隣接するワイプの前端縁の位置の確認を容易にし、特に、不安定化されてはいても隣接するワイプの前端縁が中央パネルについて位置しつづける傾向があるとき、それにより消費者がつかむための厚くなった部分を提供する。さらに、隣接するワイプ（すなわち、ワイプの第２のアセンブリのワイプｘ）の前端縁と一番上のワイプ（すなわち、ワイプの第１のアセンブリのワイプｘ）の中央パネルまたは後端縁パネルとの間の重なりの面積が、第２のアセンブリのワイプｘの基材材料の必要とされる長さがスタックから持ち上がり、分離することを保証することが見出された。隣接するワイプ（第２のアセンブリのｘ）の中央パネルと最も上のワイプ（第１のアセンブリのｘ）の後端縁パネルまたは中央パネルとの間の重なりの面積は、あまり重要でないように思われる。したがって、第１と第２のパネルの折り目の配置および中央パネルに対する前端縁パネルおよび後端縁パネルの相対的な長さはきわめて重要である。しかしながら、本発明により提供されるより優れた小出し性はまた、上記仮説に加えて、または代わりに他の効果および相互作用も関連し、したがって、信頼性をそこに置くべきではない。
【００４６】
さらに、小出しの改善に加えて、本発明の差込形状、特に図４のＡにおいて例示される態様もまたスタックの中のそれぞれのワイプの基材材料の大半が水平面に位置することを保証する。このことは、スタックが基材材料の隆起と溝を作り出す傾向を減少させる。さらに、スタック形状はまた、液体組成物がスタック全体に不均一に分布するようになる傾向も減少させる。
【００４７】
これから、本発明の更なる詳細は、今度は、態様４のＡ、Ｂ、ＣおよびＤのそれぞれを参照して記載される。
【００４８】
図４のＡは、本発明の最も好ましいスタック形状を描写する。その形状は、逆方向Ｚ字折り形状に折られた第２のアセンブリのワイプにはさまれた逆方向Ｚ字折り形状に折られたワイプの第１のアセンブリ４０を含む。それにより、第２のアセンブリ５０のワイプのそれぞれの前端縁パネル５１ｘ（５１ｙ）の表面の１つの実質的にすべてが、第１のアセンブリ４０のワイプのそれぞれの中央パネル４２ｘ（４２ｙ）の一部と接触するように、第１のアセンブリ４０のそれぞれのワイプの中央パネル４２ｘ（４２ｙ）の一部が第２のアセンブリ５０のそれぞれのワイプの前端縁パネル５１ｘ（５１ｙ）の一部と接触する。この態様において、ワイプの前記第１のアセンブリ４０のそれぞれの前端縁パネル４１ｙおよび後端縁パネル４３ｘ（４３ｙ）は、ともに前記対応する中央パネル４２ｘ（４２ｙ）の長さの５０％未満であり、長さとして実質的に等しい。対応して、前記ワイプの前記第２のアセンブリ５０のそれぞれの前端縁パネル５１ｘ（５１ｙ）および後端縁パネル５３ｘ（５３ｙ）はともに、前記対応する中央パネル５２ｘ（５２ｙ）の長さの５０％未満であり、長さとして実質的に等しい。さらに、第１のアセンブリ４０のワイプのそれぞれの前端縁パネル４１ｘ（４１ｙ）、後端縁パネル４３ｘ（４３ｙ）および中央パネル４２ｘ（４２ｙ）の長さは、ワイプの第２のアセンブリ５０の対応する前端縁パネル５１ｘ（５１ｙ）、後端縁パネル５３ｘ（５３ｙ）および中央パネル５２ｘ（５２ｙ）の長さに対して長さとして実質的に等しい。特に、４のＡにおいて描写されている態様において、ワイプの前記第１のアセンブリのそれぞれおよびワイプの前記第２のアセンブリのそれぞれの前端縁は、前記ワイプのそれぞれの全長のほぼ４分の１である。
【００４９】
図４のＢにおいて描写されている態様は、それぞれのパネルの長さの点で４のＡのそれと同一である。しかしながらこの態様において、第１と第２のアセンブリの両方のワイプは、差込の前に、ワイプの前端縁パネルと後端縁パネルが対応するワイプの中央パネルの下方表面に隣接するように折られる。したがって、本発明による折込の後、第１のアセンブリ４０のそれぞれのワイプの中央パネル４２ｘ（４２ｙ）の一部は、第２のアセンブリ５０のワイプのそれぞれの中央パネル５２ｘ（５２ｙ）の一部と接触し、第２のアセンブリのワイプの後端縁パネル５３ｘ（５３ｙ）の一部は、第１のアセンブリ４０のワイプの前端縁パネル４１ｙと接触する。同様に、第２のアセンブリのそれぞれのワイプの後端縁パネル５３ｘの一部は、第１のアセンブリのそれぞれのワイプの前端縁パネル４１ｙの一部と接触し、第２のアセンブリのそれぞれのワイプの中央パネル５２ｘの一部は、ワイプの第１のアセンブリのそれぞれのワイプの中央パネル４２ｙの一部と接触する。
【００５０】
図４のＣおよびＤによる態様は、第１のアセンブリ４０のワイプが逆方向Ｚ字形状に折られ、Ｚ字折りに折られたワイプの第２のアセンブリ５０を差し込まれているスタック形状を描写する。しかしながら、それらの態様において、それぞれのアセンブリのそれぞれのワイプの前端縁パネルおよび後端縁パネルの長さは等しくない。４のＣにおいて描写されている態様において、第１と第２のアセンブリの両方のワイプの前端縁パネルの長さは中央パネルの長さの５０％を超え、実際、第１と第２のアセンブリの両方のワイプのそれぞれの中央パネルの約６０％の長さである。したがって、第１と第２のアセンブリの両方のワイプのそれぞれの後端縁パネルの長さは中央パネルの長さの５０％未満であり、約３０％である。４のＤにおいて描写されている態様において、第１と第２のアセンブリの両方のワイプのそれぞれの後端縁パネルの長さは５０％を超え、第１と第２のアセンブリの両方のワイプのそれぞれの中央パネルの長さの約６０％である。対応して、ワイプのそれぞれの前端縁パネルの長さは５０％未満であり、中央パネルの長さの約３０％である。
【００５１】
例えば図４のＡにおいて描写されているように、本発明による特に好ましい態様において、第１のアセンブリのワイプのそれぞれの第２のパネルの折り目４５ｘは、ワイプの第２のアセンブリの隣接するワイプのそれぞれの第１のパネルの折り目５４ｘと直接接触すべきではない。同様に、第２のアセンブリのワイプのそれぞれの第２のパネルの折り目５５ｘは、第１のアセンブリの隣接するワイプの第１のパネルの折り目４４ｙと接触すべきではない。好ましくは、少なくとも１ｍｍ、好ましくは１ｍｍから５ｍｍ、そして最も好ましくは１ｍｍないし３ｍｍの折り目の線の間の距離が存在すべきである。このことは、２つの隣接するワイプの２つの隣接する折り目（第２のアセンブリのｘおよび第１のアセンブリのｙ）の間の接触が最も上のワイプが隣接するワイプから分離する能力を妨げ、隣接するワイプの基材材料のあまりに多くがスタックから分離することを引き起こすと思われるからである。
【００５２】
本発明のもう１つの好ましい態様において、視覚的および／または触覚的指標としての前端縁またはパネルを提供することもまた好ましい。そのような指標はさらに、消費者により前端縁それ自体の配置をするのに役に立つ。視覚的指標は、例えば、端部それ自体の近辺に前端縁パネルの表面上にプリントされた薄い着色ストリップまたはバンドの形態で提供され得る。
【００５３】
もちろん、本明細書で用いられる「上方」および「下方」のような用語は、図面を参照して上記記載において用いられる相対的用語であり、「上方」とは、起立位置で読まれるときページの頂部に向かって配向するワイプの部分を表す。しかしながら、同様の様式において、差し込まれたワイプのスタックは、差し込まれたスタックの「底部」が「頂部」となるように逆さにされうるであろう。図４のＡ〜Ｄの注意深い試験により理解されうるように、そのような形状は、スタックの形状を変化させる。例えば、単純に１つ（図４のＡにおいて示される４１ｘ）ではなく、２つのパネル（４３ｙおよび５３ｙ）がスタックの最も上の表面上に露出する。ある種の基材については、そのようなスタックとされた形状は、信頼性のあるワイプの小出しを提供する上でより有益であり得る。
【００５４】
好ましい態様において、本発明の小出しシステムは、図２において示される容器２０を備え、その容器は、タブ部分２１およびそのタブ部分に回動自在に結合するふた２２を含む。ふた２２は、除去可能に付着し得るし、ヒンジ機構により付着し得る。ふたにおいて、またはより好ましくは、下にあるパネルすなわちカバー２５において、容器は、小出しオリフィスすなわち開口２４を備える。好ましい態様において、カバーまたはふたはシーリング部材２７を有し、それは、露出しているワイプの前端の乾燥が遅くなるようにふたが閉じているとき容器の一部の密封を助ける役割をする。シーリング部材２７は、容器の製造の間に射出成形プロセスで形成されうるものであり、図２および５において示されるふた２２またはカバー２５上に存在し得る。
【００５５】
ふた、カバー、およびさまざまの小出し開口の１態様が図５において示される。図５において示されるように、ふた２２は、タブカバー２５にヒンジにより取り付けられうる。小出しオリフィス２４は、開口の輪郭線端部上に形成されるウイング２７および入り口２６を有しうる。ＷＯ９８／１９９４６は、本発明において有益であり得るさまざまの他の開口形態の記載について参照により本明細書に組み込まれる。
【００５６】
図６は、本発明の小出しシステムにとって適切な容器のさらに別の態様を示す。特に、図６において示される容器２０は、カバー２５において開口２４を覆うスライド式のふた２２を利用する。また、図６において示されているものは、オリフィス２４の形態の好ましい態様である。Ｓ字型開口と称される示されている形態は、図２および５において示されるより普通のポップ・アップタブ設計を含むすべてのポップ・アップ小出しシステムにおいてきわめて信頼性の高いポップ・アップ小出しを提供し得る。本発明の好ましいポップ・アップ小出しシステムにおいて、Ｓ字型開口が用いられ、約５４ｍｍの主寸法Ｄを有する。開孔の寸法全体は、小出しの信頼性における有益な結果について必要とされるように変化し得る。
【００５７】
基材：
本発明のあらかじめ濡れたワイプ１は、天然繊維、合成繊維、または天然繊維と合成繊維の混合物の製織または不織ウエブを含む基材を含む。適切な天然繊維には、限定されないが、木材パルプ繊維、綿、およびレーヨンのようなセルロース性繊維が含まれる。適切な合成繊維には、限定されないが、ポリエステルおよびポリプロピレン繊維を含む繊維製品において通常用いられる繊維が含まれる。
【００５８】
さまざまの形成方法が、本発明における使用にとって適切な繊維質ウエブを形成するために用いられ得る。例えば、ウエブは、エアレイのような不織布乾燥形成技術または代わりに、抄紙機上でのようなウエットレイにより作られうる。限定されないが、接着剤結合、溶融ブロー、スパンボンド、ニードルパンチ、および水力交絡と積層方法のような技術を含む他の不織布製造技術もまた用いられ得る。
【００５９】
１つの態様において、乾燥繊維質ウエブは、天然繊維、ステープル長の合成繊維およびラテックスバインダーの組み合わせを含むエアレイ不織ウエブであり得る。乾燥繊維質ウエブは、約２０〜８０重量パーセントの木材パルプ繊維、１０〜６０重量パーセントのステープル長のポリエステル繊維、および約１０〜２５重量パーセントのバインダーでありうる。
【００６０】
乾燥繊維質ウエブは、平方メートル当たり約４０ないし約８０グラムの坪量を有しうる。乾燥ウエブの密度はあらかじめ濡れたワイプから液体を蒸発させた後に測定され得るし、密度は、立法センチメートル当たり約０．１２グラム未満であり得る。密度は、一定単位で測定された乾燥ウエブの厚さにより除算された乾燥ウエブの坪量であり、乾燥ウエブの厚さは、約２平方インチの面積を有し、平方インチ当たり約９５グラムの閉じ込め圧力を提供する円形荷重フットを用いて測定される。１つの態様において、乾燥ウエブは、平方メートル当たり約６４グラムの坪量、約０．０６ｃｍの厚さ、および立法センチメートル当たり約０．１１グラムの密度を有しうる。
【００６１】
１つの態様において、乾燥繊維質ウエブは、少なくとも５０重量パーセントの木材パルプ繊維、より好ましくは、少なくとも約７０重量パーセントの木材パルプ繊維を含み得る。本発明における使用にとって適切である１つの特定のエアレイ不織ウエブは、約７３．５重量パーセントのセルロース繊維（約２．６ｍｍの平均繊維長を有する南方柔軟木材クラフト）、約１．３５グラム／９０００メートルの繊維長のデニールおよび約０．８５インチのステープル長を有する約１０．５重量パーセントのポリエステル繊維、およびスチレンブタジエンコポリマーを含む約１６重量パーセントのバインダー組成物を含む。バインダー組成物は、ノースカロライナ州、シャーロットのマラード・クリーク・ポリマーズから入手可能なローベン５５５０（４９パーセント固形分スチレンブタジエン）として商業的に入手可能なラテックス接着剤を用いて作られ得る。
【００６２】
本発明における使用にとって１つの適切なエアレイ不織ウエブは、オハイオ州シンシナチのザ・プロクター＆ギャンブルＣｏ．により販売されるＰＡＭＰＥＲＳ  ＢＡＢＹ  ＦＲＥＳＨブランドのベビーワイプにおいて用いられるエアレイ不織ウエブである。
【００６３】
あらかじめ濡れたワイプは、乾燥繊維質ウエブのグラム当たり少なくとも１グラムの液体ローションで乾燥基材を濡らすことにより作られる。好ましくは、乾燥基材は、乾燥繊維質ウエブのグラム当たり少なくとも約２．０、より好ましくは少なくとも約２．５グラムの液体ローションで濡らされる。
【００６４】
以下の特許がウエブに関するその開示について参照により本明細書に組み込まれる：１９７５年１月２８日に発行された米国特許第３，８６２，４７２号；１９７６年９月２８日に発行された米国特許第３，９８２，３０２号；１９７７年１月２５日に発行された米国特許第４，００４，３２３号、１９７７年１１月８日に発行された米国特許第４，０５７，６６９号、１９７８年７月４日に発行された米国特許第４，０９７，９６５号、１９７９年１２月４日に発行された米国特許第４，１７６，４２７号、１９７８年１２月２６日に発行された米国特許第４，１３０，９１５号、１９７９年１月１６日に発行された米国特許第４，１３５，０２４号、１９８０年２月２６日に発行された米国特許第４，１８９，８９６号、１９８０年６月１０日に発行された米国特許第４，２０７，３６７号、１９８１年１０月２０日に発行された米国特許第４，２９６，１６１号、１９８２年１月２５日に発行された米国特許第４，３０９，４６９号、１９８７年７月２８日に発行された米国特許第４，６８２，９４２号、および米国特許第４，６３７，８５９号、第５，２２３，０９６号、第５，２４０，５６２号、第５，５５６，５０９号および第５，５８０，４２３号。
【００６５】
１つの別態様において、基材は、平方メートル当たり約６２グラムの坪量を有し、約５０重量パーセントのレーヨン繊維および約５０重量パーセントのポリエステル繊維、ポリプロピレン繊維またはそれらの組み合わせを含む水力交絡ウエブを含み得る。もう１つの別態様において、基材は、外側層に表面テキスチャーを提供するために加熱の際に収縮する網様スクリムまたは連続プラスチックフィルム材料の形態で存在し得る内部拘束層に結合する平方メートル当たり約３０グラムの坪量を有するポリエステル繊維の不織ウエブのような２つの外側水力交絡ウエブの積層体を含み得る。
【００６６】
ローション：
本発明のあらかじめ濡れたワイプは水溶液を含む。ローションは、好ましくは、少なくとも約８５重量パーセント水分であり、より好ましくは、少なくとも約９０重量パーセント水分であり、そしてさらにより好ましくは、少なくとも約９５重量パーセント水分である。
【００６７】
リン脂質界面活性剤のようなホスフェート−第４級アミン化合物は、ポップ・アップ式のあらかじめ濡れたワイプの小出しの信頼性を有意に向上させることが見出された。理論により拘束されないが、リン脂質界面活性剤は、隣接する濡れワイプの間の粘着性の濡れを減少させると信じる。リン脂質含有界面活性剤は、洗浄溶液として、および他のワイプ成分のための担体として適切な結果を示した。しかしながら、界面活性剤としてリン脂質のみを含むローションは、商業的に入手可能な濡れワイプと比較して相対的に貧弱な濡れの知覚により、好まれない消費者の対応を示した。
【００６８】
本発明のローションは、信頼性のあるポップ・アップ小出しにとって適切なあらかじめ濡れたワイプにおける小出しの信頼性と濡れの知覚との間の技術的な矛盾を解決する成功した試みの結果を表す。考慮される界面活性剤には、ローションの中の１成分としてのリン脂質含有界面活性剤が含まれる。一般的に、ほとんどの試みについて、発泡発生剤のような付加的成分の添加により濡れの知覚が増加するとき、小出しの信頼性は許容不可能なレベルまで減少した。同様に、小出し信頼性が増加したとき、濡れの知覚が許容不可能なレベルまで減少した。本発明のローションは、２つの競合する特性の間で許容可能な均衡を提供することが示された。
【００６９】
例として、１７人の消費者のパネルに、商業的に入手可能なパンパース・ベビー・フレッシュ（登録商標）のあらかじめ濡れたワイプを提示し、以下の基準に基づいて本発明のあらかじめ濡れたワイプのさまざまの態様とそのワイプの濡れの知覚を比較するようにたずねた：
＋２＝パンパース・ベビー・フレッシュ（登録商標）のあらかじめ濡れたワイプよりはるかに濡れている
＋１＝パンパース・ベビー・フレッシュ（登録商標）のあらかじめ濡れたワイプより少し濡れている
０＝パンパース・ベビー・フレッシュ（登録商標）のあらかじめ濡れたワイプとほぼ同じ
−１＝パンパース・ベビー・フレッシュ（登録商標）のあらかじめ濡れたワイプより少し乾いている
−２＝パンパース・ベビー・フレッシュ（登録商標）のあらかじめ濡れたワイプよりはるかに乾いている。
【００７０】
パンパース・ベビー・フレッシュ（登録商標）ブランドのあらかじめ濡れたワイプは、その商業的成功と消費者の受容により濡れの知覚についての比較用のワイプとして選ばれた。試験されたローションのサンプルのそれぞれについて、ローションは折りたたまれた、差し込まれたワイプのスタックに通常の方式で本明細書で開示されたレベルで適用され、そのワイプは、ついで、本明細書で開示されたＳ字型の小出しオリフィスを有する小出し容器として試験パネリストに提供された。用いられたワイプ基材材料は、パンパース・ベビー・フレッシュ（登録商標）ブランドのあらかじめ濡れたワイプについて用いられた基材と同じであった。ワイプのそれぞれのスタックは、試験の前にほぼ１週間熟成させられた。小出しの結果は、時間の経過とともに、特にワイプの小出し容器への包装後最初の数日間にわずかに変化することが見出された。パネリストの濡れ知覚試験の結果は平均化され、以下の表１において示される。表１のローション組成は、本発明のローションにとって重要とみなされる成分のみを示し、防腐剤および香料のような他のローション成分を示さない。
【００７１】
【表１】
0004568437.tif 000002
表１でわかるように、リン脂質のみを含むローションを有するワイプの濡れの知覚は、濡れの知覚について有意に負の評点を示した。−１．７の評点は、あらかじめ濡れた濡れワイプの商業的に実用的な実施にとって許容不可能であるとみなされる。しかしながら、本発明のさまざまの態様は、有意により優れた濡れ性の知覚の結果を示した。それらのおよび他のさまざまの態様は、以下に詳細に記載されている。
【００７２】
有意に優れた濡れ性の知覚の表示に加えて、有益な小出し特性のある種の界面活性剤のみ（例えば、リン脂質界面活性剤）が許容可能なレベルに維持されたことが見出された。したがって、小出しの信頼性が維持され、一方同時に、消費者に許容可能な濡れ性の知覚を有するワイプを提供する。小出し信頼性により、連鎖、落ち戻り、持ち上がり、および長い端部のポップ・アップ式小出しの欠点が個別に、そしてまとめて本発明のローションの使用により有意に減少したことが意味される。
【００７３】
向上した信頼性を例示する例として、信頼性試験において、現在のパンパース・ベビー・フレッシュ（登録商標）のあらかじめ濡れたワイプを用いる８０枚のＺ字折りの差し挟まれたワイプが、本明細書で開示されるＳ字型の開口を有する容器から引き出された。８０枚のワイプから、引かれたワイプの分離の後に開口から１００ｍｍを超えて伸びる端部として定義された４７の長い端部、およびタブの３７の持ち上がりが存在した。対照として、すべての他の変数を同じままにして、ホスフェート−第４級アミン化合物とエチレンオキシドのポリマーを含む非セルロース性水溶性有機ポリマーを含む本発明のローションの１態様に対する変更は、（８０枚のワイプから）ほんの２３の長い端部および１８の持ち上がりをもたらした。このことは、小出し信頼性において有意な向上を表す。
【００７４】
ポップ・アップ小出しの欠陥における更なる減少（およびそれゆえ、向上するポップ・アップ小出しの信頼性）は、本発明として本明細書に開示されるローションの相乗効果のある適用および本明細書で開示される折りたたみと差込のパターンにより実現する。例えば、上記信頼性試験において、上記本発明の基材とローションは、本明細書で開示された非対称的にスタックとされ、差し込まれたＺ字折りパターンに組み込まれる。試験したとき、ほんの１つの長い端部とほんの１４の持ち上がりが存在した。このことは、小出し信頼性において極めて有意な向上を表す。
【００７５】
特に、図４のＣにおいて実質的に示される非対称形折りたたみパターンを有すること（しかし、逆転した位置において、示される「底部」がディスペンサーの中のスタックの頂部であろうように）は、本発明のローションを用いたとき、小出し信頼性に有益な影響を与えることが見出された。理論により拘束されないが、たとえば、図４のＤにおけるパネル４１ｙおよび４３ｙのようなパネルの非対称的な折りたたみは、ワイプからワイプへの接着力を制御する助けをすると信じる。したがって、それぞれのワイプについて他方のパネルより長い長さを有するあるパネルを有する（すなわち、非対称的パネル寸法）ことにより、ワイプからワイプへの界面がよりすぐれた小出し信頼性を提供するのに有益に影響を与える。
【００７６】
本発明のローションは、ホスフェート−第４級アミン化合物およびノニオン性界面活性剤からなる群より選択される界面活性剤および非セルロース性有機水溶性ポリマーおよびアルコキシル化アルコールからなる群より選択される有効量の第２成分を含む水溶液を含む。それらの成分の量は、信頼性のある濡れワイプの小出しを提供するためのさまざまの折りたたみパターンおよび小出し開口をもたらすように粘着性の濡れのレベルの変化を与えるように有効量に調節され得る。
【００７７】
アルコキシル化アルコールは、ローション製造の加工処理を促進するように水溶性または水分散性であるべきであると思われる。上記言及された成分のすべての組み合わせは、適切な濡れの感触とともに信頼性のあるポップ・アップ小出しの利益を提供すると信じる。具体的な発明を限定しない態様は以下に開示される。
【００７８】
１態様において、ローションは、ホスフェート−第４級アミン化合物を含む界面活性剤を含む。好ましいホスフェート−第４級アミン化合物には、ココホスファチジルＰＧ−ジモニウムクロリド、コカミドプロピルホスファチジルＰＧ−ジモニウムクロリド、およびステアラミドプロピルホスファチジルＰＧ−ジモニウムクロリドが含まれる。
【００７９】
適切なココホスファチジルＰＧ−ジモニウムクロリドは、ニュージャージー州パターソンのユニケマ（以前は、モナ・インダストリーズ，Ｉｎｃ．）から入手可能なホスホリピッドＣＤＭブランドのホスフェート−第４級アミン界面活性剤として商業的に入手可能である。適切なコカミドプロピルホスファチジルＰＧ−ジモニウムクロリドは、同じ供給者からホスホリピッドＰＴＣとして商業的に入手可能である。適切なステアラミドプロピルホスファチジルＰＧ−ジモニウムクロリドは、同じ供給者からホスホリピッドＳＶとして商業的に入手可能である。
【００８０】
１態様において、ローションは、エチレンオキシドのポリマーを含む非セルロース性水溶性有機ポリマーを含む。好ましいポリマーは、ＰＥＧ−７Ｍであり、式Ｈ（ＯＣＨ2 ＣＨ2 ）n ＯＨでｎ＝１５０から１６００００を有するエチレンオキシドである。適切なＰＥＧ−７Ｍは、コネチカット州ダンバリー０６８１７−０００１のユニオン・カーバイド・コーポレーション由来のポリオックスＷＳＲ  Ｎ−７５０として商業的に入手可能である。
【００８１】
１つの好ましい態様において、本発明のローションは、約３重量パーセント未満のホスフェート−第４級アミン化合物および約０．１重量パーセント未満のエチレンオキシドポリマーを含む。より好ましい態様において、ローションは、約１重量パーセント未満のホスフェート−第４級アミン化合物および約０．５重量パーセント未満のエチレンオキシドポリマーを含み得る。最も好ましくは、ローションは、約０．２８ないし約０．３６重量パーセントのホスフェート−第４級アミン化合物および約０．０９ないし約０．１１重量パーセントのエチレンオキシドポリマーを含む。
【００８２】
もう１つの好ましい態様において、ローションは、界面活性剤としてホスフェート−第４級アミン化合物および共界面活性剤としてアルコキシル化アルコールを含む。上記のように、界面活性剤は、上記開示された供給源からそれぞれ入手可能なココホスファチジルＰＧ−ジモニウムクロリド、コカミドプロピルホスファチジルＰＧ−ジモニウムクロリド、およびステアラミドプロピルホスファチジルＰＧ−ジモニウムクロリドからなる群より選択され得る。適切なアルコキシル化アルコールは、デラウエア州ウィルミントン、コンコード・プラザのユニケマ由来のアーラソルブ２００として商業的に入手可能であるイソセテス（Ｉｓｏｃｅｔｅｔｈ）２０である。
【００８３】
ローションは、好ましくは、３重量パーセント未満のホスフェート−第４級アミン化合物および１重量パーセント未満のアルコキシル化アルコールを含む。より好ましくは、ローションは、約１重量パーセント未満のホスフェート−第４級アミン化合物および約０．７重量パーセント未満のアルコキシル化アルコールを含み得る。さらにより好ましくは、ローションは、約０．２８ないし約０．３６重量パーセントのホスフェート−第４級アミン化合物および約０．３ないし約０．５重量パーセントのアルコキシル化アルコールを含む。
【００８４】
もう１つの好ましい態様において、ローションは、プロピレンオキシドとエチレンオキシドのブロックコポリマーであるノニオン性界面活性剤を含む。プロピレンオキシドブロックは、ポロキサマー１０１〜ポロキサマー４０７からなる群より選択される２つのエチレンオキシドブロックの間にサンドイッチ状にはさまれる。適切なノニオン性界面活性剤は、ニュージャージー州マウント・オリーブのＢＡＳＦコーポレーションから入手可能なプルロニック６２ブランドとして商業的に入手可能である。
【００８５】
ローションは、好ましくは、約３重量パーセント未満のノニオン性界面活性剤を含む。より好ましくは、ローションは、約１重量パーセント未満のノニオン性界面活性剤を含み得る。さらにより好ましくは、ローションは、約０．２ないし約０．３重量パーセントのノニオン性界面活性剤を含む。
【００８６】
もう１つの好ましい態様において、ローションは、界面活性剤として脂肪第４級アミンの内部塩および共界面活性剤として脂肪第４級アミンのスルホネートを含む。界面活性剤は、イリノイ州ユニバーシティ・パークのガバナーズ・ハイウエイのマッキンタイヤ・グループＬｔｄ．からマッカム：ＯＡＢ、３５、Ｌ、Ｊ、ＤＺ、ＬＭＢおよびＩＳＡとして商業的に入手可能なカプリルアミドプロピルベタイン、ココアミドプロピルベタイン、ラウラミドプロピルベタイン、オレアミドプロピルベタイン、またはイソステラミドプロピルベタインからなる群より選択され得る。適切な共界面活性剤は、イリノイ州ユニバーシティ・パークのガバナーズ・ハイウエイのマッキンタイヤ・グループＬｔｄ．からマッカムＣＢＳ−５０Ｇとして商業的に入手可能なコカミドプロピルヒドロキシスルタインである。
【００８７】
ローションは、好ましくは、約３重量パーセント未満の脂肪第４級アミンの内部塩および約１重量パーセント未満の脂肪第４級アミンのスルホネートを含む。より好ましくは、ローションは、約１重量パーセント未満の脂肪第４級アミン化合物の内部塩および約０．７重量パーセント未満の脂肪第４級アミンのスルホネートを含み得る。さらにより好ましくは、ローションは、約０．１５ないし約０．３６重量パーセントの脂肪第４級アミン化合物の内部塩および約０．１ないし約０．３６重量パーセントの脂肪第４級アンモニウム塩のスルホネートを含む。
【００８８】
ローションは、好ましくはまた、１以上の以下のものも含む：有効量の防腐剤、有効量の保湿剤、有効量のエモリエント剤、有効量の香料、および有効量の香料可溶化剤。
【００８９】
本明細書で用いられるエモリエント剤は、皮膚を軟化させ、鎮静させ、滑らかにし、被覆し、潤滑化し、または保湿する物体である。エモリエント剤という用語には、限定されないが、通常の脂質材料（例えば、脂肪、ワックス）、極性脂質（脂質をより水溶性にするために親水性に修飾された脂質）、シリコーン、炭化水素、および他の溶剤材料が含まれる。本発明において有用なエモリエント剤は、石油系、脂肪酸エステルタイプ、アルキルエトキシレートタイプ、脂肪酸エステルエトキシレート、脂肪アルコールタイプ、ポリシロキサンタイプ、ムコ多糖、またはそれらの混合物であり得る。
【００９０】
保湿剤は、皮膚を水和させるために角質層に水を引き付けるように機能する吸湿性材料である。水は、真皮または大気に由来し得る。保湿剤の例には、グリセリン、プロピレングリコール、およびリン脂質が含まれる。
【００９１】
香料のような芳香成分には、限定されないが、精油を含む水に不溶性のオイルが含まれる。
【００９２】
香料可溶化剤は、水に不溶性の芳香成分がローションから沈殿する傾向を減少させる成分である。香料可溶化剤の例には、エタノール、イソプロパノール、ベンジルアルコール、およびフェノキシエタノールのようなアルコール、限定されないが、ポリソルベートを含むいずれか高ＨＬＢ（１３を超えるＨＬＢ）の乳化剤、および高エトキシル化酸およびアルコールが含まれる。
【００９３】
防腐剤は、液体ローションおよび／または基材の中の微生物の生長を妨げる。一般的に、そのような防腐剤は、疎水性または親水性有機分子である。適切な防腐剤には、限定されないが、メチルパラベン、プロピルパラベンのようなパラベンおよびそれらの組み合わせが含まれる。
【００９４】
ローションはまた、皮膚の治癒を高める機能を提供する有効量のケロトリティック（ｋｅｒｏｔｏｌｙｔｉｃ）も含み得る。特に好ましいケロトリティックは、アラントイン（（２，５−ジオキソ−４−イミダゾリジニル）尿素）、経験式Ｃ4 Ｈ6 Ｎ4 Ｏ3 を有するヘテロ環有機化合物である。アラントインは、ニュージャージー州エマーソンのトリ−Ｋインダストリーズから商業的に入手可能である。使い捨ておむつのような使い捨て吸収構造の長い期間の着用は、過剰な水和の点で弱体化する皮膚に導き得ることがよくわかっている。過剰に水和した皮膚は、熱によるかぶれ、擦り傷、圧力による刻印、および皮膚の障壁の消失を含む皮膚の疾病をより受けやすいことが一般的に知られている。例えば、２１  ＣＦＲ  ３３３．５０３は、おむつかぶれを以下の要因：湿分、閉塞、摩擦、尿もしくは便との連続した接触、または機械的もしくは化学的刺激の１以上により引き起こされるおむつ領域（会陰、でん部、下腹部、および内腿）における炎症性の皮膚の状態として定義する。本発明によるあらかじめ濡れたワイプは、過剰に水和した皮膚のような皮膚の治癒を高めるための有効量のアラントインを含み得る。
【００９５】
１９９６年７月９日に発行された米国特許第５，５３４，２６５号、１９９１年８月２７日に発行された米国特許第５，０４３，１５５号、および１９９７年７月１５日に発行された米国特許第５，６４８，０８３号は、付加的なローション成分を開示する目的のために参照により本明細書に組み込まれる。
【００９６】
本発明の１つの適切なローションは、少なくとも９５重量パーセントの水、界面活性剤として機能し得る約０．１２ないし約０．６重量パーセントのココホスファチジルＰＧ−ジモニウムクロリドまたは０．１５重量パーセントから０．５重量パーセントのポロキサマー１８２、保湿剤として機能し得る約０．５ないし約５重量パーセントのプロピレングリコール、香料成分を可溶化するための乳化剤として機能しうる約０．１ないし約１重量パーセントのイソセテス−２０またはポリソルベート２０、防腐剤として機能しうる約０．０１ないし約０．５重量パーセントのメチルパラベン、防腐剤として機能し得る約０．０１ないし約０．１重量パーセントのプロピルパラベン、防腐剤として機能し得る約０．０１ないし約０．１重量パーセントの２−ブロモ−２−ニトロプロパン−１，３−ジオール、発泡ビルダーとして機能し得る０．０５％ないし０．３％のＰＥＧ−７ｍ、および約０．０１ないし約１重量パーセントの１以上の香料成分を含む。
【００９７】
ローションはさらに、約０．１ないし約３重量パーセントのアラントインおよびエモリエント剤として機能し得るアロエベラのような約０．１重量パーセントから約１０重量パーセントのアロエ抽出物を含み得る。アロエベラエクストラクトは、イリノイ州ウッドストックのリタ・コーポレーションから濃縮粉末の形態で入手可能である。
【００９８】
ホスフェート−第４級アミン化合物またはノニオン性界面活性剤は、有効でさらに穏やかな洗浄性を提供する。アルコキシル化アルコールまたはホスフェート−第４級アミン化合物は、水性ローション中の香油の２次的な可溶化を提供するともまた思われる。
【００９９】
本発明のローションは、以下に続く例により作られ得るものであり、それらの例は、例示であり、発明を限定することを意味しない。
【０１００】
例１：
あらかじめ濡れたベビーワイプにおける使用にとって適切なローションが、５００グラムのバッチを与えるために、以下の工程にしたがって作られ得る。
【０１０１】
１．攪拌しながら、０．５グラムのポリオックスＷＳＲ  Ｎ−７５０を、２５０グラムの脱イオン水に加える。
【０１０２】
２．第１のプレミックス（プレミックスＡ）を、以下を互いに混合することにより調製する。
【０１０３】
Ａ．溶剤／保湿剤として機能する７．５０グラムのプロピレングリコール（液体）、および
Ｂ．防腐剤として機能する１．１５グラムのメチル／プロピルパラベン（粉末）。
【０１０４】
３．第２のプレミックス（プレミックスＢ）を、以下を互いに混合することにより調製する。
【０１０５】
Ａ．香料可溶化剤として機能する１．００グラムのポリソルベート２０（液体）、および
Ｂ．０．１９グラムの香油（液体）。
【０１０６】
４．ついで、プレミックスＢを、攪拌しながらポリオックスＷＳＲ  Ｎ−７５０と２５０グラムの脱イオン水に加える。
【０１０７】
５．ついで、０．２５グラムのブロノポールを工程４の混合物に加える。ブロノポール（２−ブロモ−２−ニトロプロパン−１，３−ジオール）（粉末）が防腐剤として機能する。
【０１０８】
６．ついで、４．５グラムのホスホリピッドＣＤＭ液体（４０重量パーセントホスフェート−第４級アミン化合物）を工程５の混合物に加える。
【０１０９】
７．ついで、２．５グラムのアラントイン固体（粉末）を工程６の混合物に加える。
【０１１０】
８．ついで、十分な脱イオン水を、１００パーセントまで十分に、工程７の混合物に加える。
【０１１１】
９．ついで、プレミックスＡを、攪拌とともに工程８の混合物に加える。
【０１１２】
上記例により作られたローションは、約０．１重量パーセントのノニオン性ポリマー、０．３６％のホスフェート−第４級アミン化合物、および約０．５重量パーセントのアラントインを含む。
【０１１３】
例２：
この例によるローションは、以下の変更とともに例１について上記記載されたように作られる。１００パーセントまで十分に十分な脱イオン水を加える前に、０．０１２５グラムの濃縮されたアロエベラ抽出物粉末（２００対１濃度）を混合物に加える。得られるローションは、約０．５重量パーセントアロエベラ抽出物を含む。
【０１１４】
例３：
あらかじめ濡れたワイプにおける使用にとって適切なローションは、５００グラムのバッチを与えるために以下の例により作られ得る。
【０１１５】
１．第１のプレミックス（プレミックスＡ）を、以下を互いに混合することにより調製する。
【０１１６】
Ａ．溶剤／保湿剤として機能する７．５０グラムのプロピレングリコール（液体）、および
Ｂ．防腐剤として機能する１．１５グラムのメチル／プロピルパラベン（粉末）。
【０１１７】
２．第２のプレミックス（プレミックスＢ）を以下を互いに混合することにより調製する。
【０１１８】
Ａ．１．５０グラムのホスホリピッドＣＤＭ（液体−４０重量パーセントホスフェート−第４級アミン化合物固形分）、および
Ｂ．０．１９グラムの香油（液体）。
【０１１９】
３．ついで、攪拌とともに、プレミックスＢを２５０グラムの脱イオン水に加える。
【０１２０】
４．ついで、０．２５グラムのブロノポールを、工程３の混合物に加える。ブロノポール（２−ブロモ−２−ニトロプロパン−１，３−ジオール）（粉末）は防腐剤として機能する。
【０１２１】
５．ついで、３．０グラムのホスホリピッドＣＤＭ液体（４０重量パーセントホスフェート−第４級アミン化合物）を工程４の混合物に加える。
【０１２２】
６．ついで、２．０グラムのアーラソルブ２００を工程５の混合物に加える。
【０１２３】
７．ついで、２．５グラムのアラントイン固体（粉末）を工程６の混合物に加える。
【０１２４】
８．ついで、十分な脱イオン水を１００パーセントまで十分に工程７の混合物に加える。
【０１２５】
９．ついで、プレミックスＡを攪拌とともに、工程８の混合物に加える。
【０１２６】
上記例により作られたローションは、約０．４重量パーセントのイソセテス−２０、０．３２％のホスフェート−第４級アミン化合物、および約０．５重量パーセントアラントインを含む。
【０１２７】
例４：
プロピレンオキシドとエチレンオキシドのブロックコポリマーであるノニオン性界面活性剤を含むあらかじめ濡れたワイプにとって適切なローションは、５００グラムのバッチを与えるように以下の例にしたがって作られ得る。
【０１２８】
１．第１のプレミックス（プレミックスＡ）を、以下を互いに混合することにより調製する。
【０１２９】
Ａ．溶剤／保湿剤として機能する７．５０グラムのプロピレングリコール（液体）、および
Ｂ．防腐剤として機能する１．１５グラムのメチル／プロピルパラベン（粉末）。
【０１３０】
２．第２のプレミックス（プレミックスＢ）を、以下を互いに混合することにより調製する。
【０１３１】
Ａ．香料可溶化剤として機能する１．０グラムのポリソルベート２０、
Ｂ．０．１９グラムの香油（液体）。
【０１３２】
３．ついで、プレミックスＢを、攪拌とともに、２５０グラムの脱イオン水に加える。
【０１３３】
４．ついで、０．２５グラムのブロノポールを工程３の混合物に加える。ブロノポール（２−ブロモ−２−ニトロプロパン−１，３−ジオール）（粉末）は、防腐剤として機能する。
【０１３４】
５．ついで、２．５グラムのプルロニック６２液体（プロピレンオキシドとエチレンオキシドのブロックコポリマー−固形分である５０重量パーセントノニオン性界面活性剤）を工程４の混合物に加える。
【０１３５】
６．ついで、２．５グラムのアラントイン固体（粉末）を、工程５の混合物に加える。
【０１３６】
７．ついで、十分な脱イオン水を１００パーセントまで十分に工程６の混合物に加える。
【０１３７】
８．ついで、攪拌とともに、プレミックスＡを工程７の混合物に加える。
【０１３８】
上記例により作られたローションは、プロピレンオキシドとエチレンオキシドのブロックコポリマーである約０．１２５重量パーセントプルロニック６２ノニオン性界面活性剤、および約０．５重量パーセントアラントインを含む。
【０１３９】
例５：
プロピレンオキシドとエチレンオキシドのブロックコポリマーであるノニオン性界面活性剤を含むあらかじめ濡れたワイプにとって適切なローションが、５００グラムバッチを与える以下の例にしたがって作られ得る。
【０１４０】
１．第１のプレミックス（プレミックスＡ）を以下を互いに混合することにより調製する。
【０１４１】
Ａ．溶剤／保湿剤として機能する７．５グラムのプロピレングリコール（液体）、および
Ｂ．防腐剤として機能する１．１５グラムのメチル／プロピルパラベン（粉末）。
【０１４２】
２．第２のプレミックス（プレミックスＢ）を、以下を互いに混合することにより調製する。
【０１４３】
Ａ．香料可溶化剤および界面活性剤として機能する２．０グラムのコカミドプロピルベタイン（液体）、
Ｂ．０．１９グラムの香油（液体）。
【０１４４】
３．ついで、攪拌しながら、プレミックスＢを、２５０グラムの脱イオン水に加える。
【０１４５】
４．第３のプレミックス（プレミックスｃ）を以下を互いに混合することにより調製する。
【０１４６】
Ａ．可溶化剤および共界面活性剤として機能する１．５グラムのコカミドプロピルヒドロキシスルタイン、
Ｂ．０．２５グラムのジメチコーンコポリオール（液体）。
【０１４７】
５．ついで、攪拌しながら、プレミックスＢを２５０グラムの脱イオン水に加える。
【０１４８】
６．ついで、０．２５グラムのプロノポールを工程３の混合物に加える。ブロノポール（２−ブロモ−２−ニトロプロパン−１，３−ジオール）（粉末）は、防腐剤として機能する。
【０１４９】
７．ついで、２．５グラムのアラントイン固体（粉末）を工程５の混合物に加える。
【０１５０】
８．ついで、十分な脱イオン水を１００パーセントまで十分に工程６の混合物に加える。
【０１５１】
９．ついで、攪拌とともに、プレミックスＡを工程７の混合物に加える。
【０１５２】
上記例により作られたローションは、約０．１６重量パーセントの脂肪第４級アミンの内部塩であるマッカムＬＭＢ界面活性剤、０．１２％の脂肪第４級アミンのスルホネートであるマッカムＣＢＳ５０−Ｇ、および約０．５重量パーセントのアラントインを含む。
【０１５３】
したがって、本発明の特定の態様が例示され、記載されてきたけれども、さまざまの他の変更および修正が発明の精神および範囲から逸脱することなくなされ得ることが当業者にとって明らかであろう。それゆえ、本発明の範囲の中にある開示された特徴の組み合わせを含むすべてのそのような変更および修正を特許請求の範囲の中でカバーすることが意図される。
【図面の簡単な説明】
【図１】  図１は、本発明のＺ字型に折りたたまれたあらかじめ濡れたワイプの斜視図である。
【図２】  図２は、小出し容器の中の折りたたまれ差し挟まれた濡れワイプのスタックの断面の模式的例示である。
【図３】  図３のＡは、前端縁パネル、中央パネルおよび後端縁パネルを有し、Ｚ字型の折りたたみ形態に折りたたまれたワイプを示す図１における線Ｘ−Ｘに沿って取られた断面の模式的例示であり、図３のＢは、前端縁パネル上にリップを有する折りたたまれたワイプの断面の模式的例示である。
【図４】  図４のＡ〜Ｄは、本発明の小出しシステムによるあらかじめ濡れた濡れワイプについての折りたたみと挟み込みの断面の模式的例示である。
【図５】  図５は、本発明の小出しシステムによる容器のためのカバーの１態様の斜視図である。
【図６】  図６は、本発明の小出しシステムによる容器の１態様の斜視図である。
【符号の説明】
１…ワイプ、２０…容器、２１…タブ部分、２２…ふた
【図１】
0004568437.tif 000003
【図２】
0004568437.tif 000004
【図３】
0004568437.tif 000005
【図４】
0004568437.tif 000006
【図５】
0004568437.tif 000007
【図６】
0004568437.tif 000008